(57)【特許請求の範囲】
【請求項１】
２つの測定面（４，５）を有する少なくとも１つの挿入具（２８）を備え、
前記挿入具はピペットチップ（２８）であり、前記ピペットチップ（２８）は一端に２つの測定面（４，５）を有し、前記一端は測定チップ（２８）の他端（３０）から間隔を置かれ、前記他端はピペットとの接続用に設計され、さらに、
光学測定装置のキュベット軸に挿入用のアダプタ（２９）と、
キュベット軸を通過する光学測定装置の光路の測定面（４，５）間に試料が位置決めされるように測定面（４，５）が互いから分離距離で、前記アダプタ（２９）に前記少なくとも１つのピペットチップを取り外し可能に保持する手段とを備え、
前記ピペットチップ（２８）は面平行な平面の測定面（４，５）を有する２つの透明な平板（２，３）により内側に制限される底部開口部（３１）を備え、平板（２，３）間の間隔距離領域は側方が閉ざされ、底部開口部（３１）だけに開放され、
少なくとも１つの前記測定面（４，５）は親水性であり、
前記底部開口部（３１）の全てが空間に開放された状態で光学測定されるのを許容する
キュベット。
【請求項２】
標準キュベット軸に測定面（４，５）の位置決めをする手段を有する
請求項１のキュベット。
【請求項３】
キュベット軸の異なる位置に測定面（４，５）の位置決めをする手段を有する
請求項１または２のキュベット。
【請求項４】
キュベット軸の異なる高さ位置に測定面（４，５）の位置決めをする手段を有する
請求項３のキュベット。
【請求項５】
キュベット軸の異なる高さ位置に測定面（４，５）の位置決めをする手段を有する
請求項３のキュベット。
【請求項６】
２つの測定面（４，５）が光学的に透明である
請求項１から５のいずれか１つのキュベット。
【請求項７】
２つの測定面（４，５）が平板状である
請求項１から６のいずれか１つのキュベット。
【請求項８】
前記挿入具（２８）および／またはアダプタ（２９）がプラスチックおよび／または金属でできている
請求項１から７のいずれか１つのキュベット。
【請求項９】
測定位置における測定面（４，５）が平らである
請求項１から８のいずれか１つのキュベット。
【請求項１０】
測定位置における測定面（４，５）が平行に配置される
請求項１から９のいずれか１つのキュベット。
【請求項１１】
前記測定面（４，５）の互いからの前記分離距離は最大で２ｍｍである
請求項１から１０のいずれか１つのキュベット。
【請求項１２】
前記測定面（４，５）の互いからの前記分離距離は
０．５〜５マイクロリットルの体積を有する試料が間に保持されるように調整される
請求項１から１１のいずれか１つのキュベット。
【請求項１３】
測定面（４，５）を通って光線を制限する少なくとも１つの絞りを備える  
請求項１から１２のいずれか１つのキュベット。
【請求項１４】
前記アダプタ（２９）が前記絞りを有する
請求項１３のキュベット。
【発明の詳細な説明】
【技術分野】
【０００１】
本発明は、分光計または光度計または他の光学測定装置による液体試料の分析に関する。この種の分析は、分子生物学、生化学、無機化学、有機化学そして食品化学研究所に限られず一般的に行われる。試料は、たとえば、調査において、診断法においてまた品質管理において光学的に分析される。たとえば、紫外線−可視光線または赤外線の波長領域における吸収、反射、放射、蛍光、ラマンまたは発光分光学によって分析される。測定される分析物の例は、無機または有機物質および化合物と同様に、核酸、タンパク質、脂質のような生体分子である。分光計または光度計の分析を簡易にするのに役立つ化学反応の後にあるいはすぐにこれらの分析物を測定することもできる。
【０００２】
本発明は典型的な全ての応用に特に関係がある。本出願の最も重要な領域は、分子生物学における少量の貴重な試料の測定である。多くの場合、少量の試料（たとえば、１から５マイクロリットルまで）だけが利用可能である。なぜなら、より多くの材料も得ることができないからである。試料の希釈化は減少した吸収によりあまりに不正確な測定結果につながる。典型的な応用は、ポリメラーゼ連鎖反応（ＰＣＲ）の最適な核酸の出力量のために使用できるようにポリメラーゼ連鎖反応またはリアルタイムでのポリメラーゼ連鎖反応前の核酸濃度の光度計または蛍光分析による測定である。他の例では、ミクロ配列実験の開始前に標識化された核酸の最適な量を使用できるように、また、核酸の標識密度が最適な範囲内にあることを確実にするために、核酸濃度および核酸に組み込まれる標識物質および標識化された核酸の場合これに由来する標識密度の測定である。      
【背景技術】
【０００３】
分光計または光度計による分析のために液体試料がキュベットに充填される。標準キュベットは、普及しているほとんどの分光計および光度計のキュベット軸の中への挿入に適している。これらのキュベット軸は以下では「標準キュベット軸」とも称される。市販の光学測定装置の、１２．５ｍｍ×１２．５ｍｍの断面積を有する標準キュベット軸が広く使われている。キュベット軸の底より上の光線の高さは、装置に応じて、８．５ｍｍから２０ｍｍまで変化する。標準キュベットは箱形の形状を有し、横断面と高さとが標準キュベット軸の寸法に合わせられている。    
【０００４】
少量の試料用の再使用可能な石英ガラス製の標準キュベットは特に、Hellma and Strana会社により販売されている。これらのウルトラマイクロキュベットは１ｍｍ以上の層厚を有する。泡なしで満たすことは非常に困難で、空にして洗浄するのに極めて複雑である。非常に少量の光学測定の主な利用はＵＶ領域での核酸の測定であるので、それらは石英ガラスで作られ特に高額である。入手するのに非常に高価であるので注意深く取り扱われなければならない。市場で提供される石英ガラスのウルトラマイクロキュベットのために、５マイクロリットルの最小限量が使われなければならず、いくらかの利用に対して多すぎる。
【０００５】
他のキュベットは「マイクロリットル測定セル」という名称で販売されている。
Hellma会社が製品名「Tray Cell」の下で、Implen会社が製品名「Label Guard」の下でマイクロリットル測定セルを販売し、それらの寸法は標準キュベットと同様でこれより多くの一般的な分光計において使用される。Hellma製のマイクロリットル測定セルはＷＯ２００５／１１４１４６Ａ１に記載されている。分析するために、０，２ｍｍの層厚の場合約１〜２マイクロリットルまたは１ｍｍの層厚の場合３〜５マイクロリットルの分析される液体の１滴が測定窓の上部に加えられなければならない。測定室は蓋により閉じられる。測定光学の光線が放射線源から光線屈折および光ファイバ光導体をおよび蓋の鏡を介して試料を通ってセンサへ導かれる。
【０００６】
マイクロリットル測定セルは構造的に非常に複雑で高価で、これより必ずしも経済的に現実でない。さらに、それは装置に高く依存する２３０〜６５０ｎｍの約１，３Ｅの自己吸収を有し、そのことで測定装置の測定範囲が減少する。さらに、たとえば分裂性の泡、粒子および誤ったピペット操作を確認できるようにするために、試料を充填して蓋を合わせた後に測定室の測定溶液を視覚的な検証ができず、誤った測定値を導くかもしれない。使用の後に測定窓をユーザが広範囲に洗浄しなければならないことも不利益である。  
【０００７】
ちょうど１マイクロリットルの体積の試料の分析をすることができる「NanoDrop（Ｒ）」の製品名でNanoDrop Technologies会社が光度計を販売している。この分光計は、WO 2006/086459 A2に記載されている。そのシステムは、２つの水平に合わせられた平面表面間に位置する液体の滴の直接光学測定を提供する。光源は、２つの表面間の隙間を介して端から液体の試料を照射する。光ファイバ分光光度計に光を伝導する光ファイバ光導体は、液体試料を通過した後、下面に入る。これより、液体試料はガラス繊維と直接接触している。
【０００８】
光学面が特定の試料により機能しないのは分光光度計に不利益である。NanoDrop-1000の分光光度計の操作説明書によると、これらはたとえばタンパク質を含む溶液である。この場合、多数使用した後集中的に、長たらしい、激しい磨きによりユーザは手動で光学面を調整しなければならない。強い酸性またはアルカリ性の溶液を使用することもできない。      
【０００９】
さらに、試料が周囲と直接に開放された接触にある。これより、危険物質をこのシステムで検査できない。しかしながら、伝染性の物質の可能性を持つような危険な物質は、分子生物学、細胞生物学、生化学や化学研究所において頻繁に使われる。このシステムはこれらの試料には適さない。周囲との試料の開放接触により、試料が汚染されるかもしれない。このことは、測定値を偽る。さらに、測定の後貴重な試料の回収が、コンタミネーションの危険性なくすることができない。
【００１０】
分光光度計は、非常に高価な測定システムである。それは、測定ユニットおよびＰＣから構成され、多くの空間を占める。液体の開放された滴の横方向の表面が直接周囲と接触するので、試料は急速に蒸発して容易に汚染される。
【発明の概要】
【発明が解決しようとする課題】
【００１１】
これに基づいて、本発明の目的は、従来の光学測定装置を用いて、高精度での、少量の試料の光学検査に適した器具を提供することである。
【００１２】
さらに、特に少量の試料の光学検査を可能とする方法が提供される。
【課題を解決するための手段】
【００１３】
この目的は、請求項１の特徴を有するキュベットにより解決される。キュベットの有益な実施態様が従属項に記載されている。
【００１４】
さらにまた、挿入具とアダプタの有益な実施態様が他の従属項に記載されている。
【００１６】
本発明のキュベットは２つの測定面を有する少なくとも１つの挿入具と、光学測定装置のキュベット軸に挿入用のアダプタと、測定面がキュベット軸を通過する光学測定装置の光路の測定面間に試料の位置決め用に互いから間隔をおいて、前記アダプタに前記少なくとも１つの挿入具を取り外し可能に保持する手段とを備える。
【００１７】
２つの測定面が測定チップの一端に配置され、測定チップの他端から間隔を置かれている。測定面は好ましくは測定チップと一体的に接続される。１実施態様によれば、測定チップはキュベット軸の垂直配置に測定表面を有するアダプタに配置される。
【００１８】
１実施態様によれば、他端はピペットに接続できるように設計されている。すなわちピペットチップの上端のような他端である（たとえば、それは嵌めこみ開口部を有し、対応する（たとえば円筒形または円錐形の）ピペットの付属器に嵌め合わさる）。この実施態様では、測定チップは下記において「ピペットチップ」とも呼ばれる。ピペットチップとしての設計において、測定チップは従来のピペットチップに類似したピペットに嵌め合うことができ、測定される媒体を収容して使用される。使用されるピペットは従来のピペットでもよいが、本出願用に特に設計されてもよい。このために、特に光学測定器具を備えており、その光路は測定チップの下端に位置する２つの測定面間を走る。他の実施態様によると、測定チップは（投与）器具と接続されるように設計されている。この実施態様において、測定チップが器具に嵌め合い、器具は投与機能の無いまたは不完全な投与機能（収容だけまたは測定面間の液体の吐出のみ）または完全な投与機能を有する。この実施例でさえ、測定チップは従来のピペットチップのような上端（たとえば、嵌めこみ開口部）を有する。収容機能のない器具の場合、液体の収容は静水圧（測定面の浸水）および／または毛管力により生じる。このために、１実施態様によれば、一方または両方の測定面は親水性かまたは疎水性である。測定チップがユーザに直接保持される点で、毛管力による液体の収容は追加の器具なしで通常生じる。このために、測定チップの主要部がハンドルとして設計される。
【００１９】
ピペットの吐出機能のない器具の場合、液体の吐出はピペットの場合のように定められた体積で発生しないが、むしろ測定チップから液体をほとんど取り除く、たとえば吸収材量への吐出によってか、または全ての液体の吐出による。適用できるならば、吐出は器具なしでも生じる。このために、測定チップの主要部がハンドルとして設計される。
【００２０】
他の実施態様によれば、測定チップの他端はグリップ手段（たとえば、ノブ、取っ手または他のハンドル）を有する。この実施態様では、液体の収容は静水圧（測定面の浸水）および／または毛管力により発生する。吐出も吸収材料で生じることもできる。加えて、この測定チップの他端はピペットによりピペットチップのように充填可能および排出可能であるようにピペットチップの上端のように設計されている。
【００２１】
アダプタがキュベット軸に適した形状を有するので、その結果、挿入具がアダプタに入れられてアダプタがキュベット軸に入れられると、挿入具の測定面間に保持された試料が光路に配置される。  
【００２２】
好ましい実施態様は、標準キュベット軸に配置される２つの測定面を位置決めする手段を有する。本発明についての標準キュベットは矩形、特に正方形の横断面を有する。１つの実施形態によると、それは１２．５×１２．５ｍｍの表面積を有する。他の実施態様によると、キュベット軸の底より下に８．５ｍｍ〜２０ｍｍの間隔距離で光路が走る。他の実施態様によると、キュベット軸の底より下に８．５ｍｍまたは１５ｍｍの間隔距離で光路が走る。挿入具を受け入れるアダプタの横断面が、標準キュベット軸の横断面用に調整される。１つの実施態様によると、測定面の中心がキュベット軸の底から光路の上記の間隔距離を有するように測定面がキュベットに位置決めされている。
【００２３】
１実施態様によると、キュベットは、キュベット軸の異なる位置に挿入具を位置決めする手段を有する。他の実施態様によると、これらはキュベット軸の異なる高さ位置に位置決めする手段である。この手段はたとえば抜きとれるかまたはネジ止め不可能なキュベットの脚でもよい。それらは、たとえば、測定装置の光路の高さの調整に役立つ。
【００２４】
本発明に関して、キュベットは光学検査用の試料を位置決めするために設計された器具である。これより、本発明のキュベットは、底壁と側壁とで囲まれた液体用の受け器を有する管のような従来方式で設計される必要はないが、しかしながらそのような設計も除外されていない。
【００２５】
本発明によるキュベットの場合、少量の液体試料は２つの測定面の間に配置される。液体の表面張力により、２つの測定面間に柱が形成され、それを介して光学測定が実施される。従来の光度計または分光計において光路のさらなる変更無しに測定が実施されるように、アダプタが好ましくはキュベット軸の垂直配置に測定面を位置決めするのに役立つ。このために、アダプタが標準キュベット軸の寸法に設定されることが好ましく、その結果、標準キュベットのように使うことができる。しかしながら、アダプタは標準キュベット軸よりも他の寸法を有するキュベット軸に設定してもよい。
【００２６】
挿入具および／またはアダプタは、複数の使用または、一回の使用のための消耗品または使い捨て品として設計されてもよい。挿入具および／またはアダプタは、１つまたは複数のプラスチック（たとえば、ポリプロピレン、ポリエチレン、ポリスチレン、ＰＶＣ）および／または単一のまたは異なる材料で作られてもよい。アダプタは、複数回の使用として設計されるなら、金属（たとえばアルミニウムまたはステンレス鋼のような）でできていてもよい。挿入具およびアダプタは、あるいは、取り外し不可能に接続されるか、それぞれ１つの単一デバイスとして構成されてもよい。
【００２７】
あるいは、たとえば対応する表面設計によりいくつかの試料が測定面に配置されるように測定面が備えられていてもよい。試料は異なるものでもよいし、または同一のサンプルとして測定面に加えられてもよい。
【００２８】
２つの測定面間の異なる間隔距離により、１マイクロリットル未満から数マイクロリットルまでの体積での測定が１つのキュベットで実現される。１実施態様によれば、０．５から５マイクロリットルの量を有する試料が測定面間に保持されるように測定面間の間隔距離が調整される。約１〜３マイクロリットルの試料が保持されるように測定面間の間隔距離が好ましくは調整される。これより、キュベットが特定の体積に設計されて、測定面が互いから特定の間隔距離で光路のみに保持される。
【００２９】
光学測定装置のキュベット軸に挿入可能なアダプタ用の本発明による挿入具は２つの測定面と測定面（４，５）がキュベット軸を通過する光学測定装置の光路の測定面（４，５）間に試料の位置決め用に互いから間隔距離で、アダプタに保持する手段を備える。挿入具はこれより測定チップであり、測定チップは一端に２つの測定面を有し、一端は測定チップのピペットと接続用の一端から間隔を置かれている。
【００３０】
着脱可能に挿入具を保持する手段は特に挿入具の輪郭または外側の形状であり、アダプタの輪郭又は形状に設定され、その結果、挿入具をアダプタに連結することができる。
【００３１】
本発明による挿入具は既に説明された本発明によるキュベットの挿入具の１つ以上の特徴を都合よく備えてもよく、少なくとも１つの挿入具とアダプタを備える。
【００３２】
２つの測定面を有する少なくとも１つの挿入具用の本発明によるアダプタは光学測定装置のキュベット軸に挿入され、測定面がキュベット軸を通過する前記光学測定装置の光路の測定面間に試料の位置決め用に互いから間隔距離をおいて少なくとも１つの挿入具に取り外し可能に保持する手段を有する。  
【００３３】
本発明によるアダプタは既に説明された本発明によるキュベットのアダプタの１つ以上の特徴を都合よく備えてもよく、少なくとも１つの挿入具とアダプタを備える。
【００３４】
着脱可能にアダプタを保持する手段は特にアダプタの輪郭または形状であり、挿入具の輪郭または形状に設定され、その結果、アダプタを挿入具に連結することができる。
【００３５】
すでに変形発明と挙げられた全ての場合において、光学測定装置の光路は、測定面を通って斜めに走り、このために測定面または測定面を有する挿入具が透過性または透明に設計されている。他の実施形態によると、光学測定装置の光路は測定面間の間隔距離領域の開口側部を通って測定面と平行して走る。この時、測定面は不透明体に設計されてもよい。
【００３６】
通常、測定面は湾曲または他の形状を有する。好ましい実施態様によると、測定面は平面である。平板または壁側に測定面の配置の場合、平板または壁の両側が好ましくは平面である。
【００３７】
一般に、平面測定面は、互いに関していかなる配置を有してもよい。たとえば、それらは互いにある角度で位置合わせされてもよい。好ましい実施態様によると、測定面は互いに関して平面平行に配置されている。平面測定面のこの平面平行な配置は特に光線の分裂的な屈折のない測定面の光路の通過のために役立つ。
【００３８】
通常、測定面は互いに関して、たとえば測定面が３本の全ての空間軸の各々に関して角度をとるような異なる配置でもよい。好ましい実施態様によれば、測定面は互いに重なり合う配置を有する。好ましくは、測定面は重なり合う配置で平面平行平板上にある。
【００３９】
１実施態様によると、互いからの測定面の間隔距離は測定位置において５ｍｍ以下である。挙げられた距離間隔で検査される多くの液体試料が毛細管力により測定面間に保持される。間隔距離は好ましくは０．１〜２ｍｍである。
【００４０】
少量の液体の光学検査する本発明の方法によると、たとえば２つの測定面間である開口部を有する中間領域がたとえばピペットである変位装置を用いて液体と接触させられ、液体が中間領域に収容され、適用できるならばそこから押し出されて中間領域の液体が光学測定を受ける。
【００４１】
液体の収容および／または放出の間ピペットチップの案内による全ての発明変形において、安全で取扱いやすい滴の位置決めが容易になる。
【００４２】
本発明のキュベットは標準キュベットとして標準キュベット軸に差し込まれるように好ましくは設計されている。しかしながら、それは他の従来または将来の光学測定装置のキュベット軸に挿入されるように設計されてもよい。
【図面の簡単な説明】
【００４３】
【図１】自由端と広げられたアームでの平面測定面を有するピンセットを示す側面から斜めに見た斜視図である。
【図２】アームが共に回転した同じピンセットを示す同じ斜視図である。
【図３】ピンセット用の収容部を有するアダプタを示す上側および側面から斜めに見た斜視図である。
【図４】ピンセットが挿入された同じアダプタを示すＸ線斜視図である。
【図５】下端上に平面測定面を有するピペットチップを示す下側および側面から斜めに見た斜視図である。
【図６】受け器を有しピペットチップがその中に挿入されたアダプタを示す上側および側面から斜めに見た斜視図である。
【図７】アダプタに挿入されたピペットチップを示す上面図である。
【図８】アダプタに挿入されたピペットチップ示す側面図である。
【図９】平面測定面を有するスライドを示す上部および側面からの斜めに見た斜視図である。
【図１０】２つのスライドを収容する開状態のアダプタを示す上部および側面からの斜めに見た斜視図である。
【図１１】一緒に折り畳まれた状態の２つのスライドを配置されたアダプタを示す下側および側面からの斜めに見た斜視図である。
【図１２】閉状態のスライドを配置されたアダプタを示す２つの側面上の斜視図である。
【図１３】アダプタ部が回転されて離れており、平面測定面を有する挿入部を配置されたアダプタを示す下側および一方から斜めに見た斜視図である。
【図１４】アダプタ部が回転されて一緒である同じアダプタを示す斜視図である。
【図１５】液濡れおよび撥液領域を備える平面測定面を有する挿入具を示す平面測定面および側面に対する斜めに見た図である。
【図１６】同じ挿入部を示す対向する平面外側の斜視図である。
【図１７】凹部を有する平面測定面を示す長手方向の断面図である。
【図１８】いくつかのオーバフロー室を有する平面測定面を示す上面図である。
【図１９】１つのオーバフロー室を有する平面測定面を示す上面図である。
【図２０】液濡れ中央領域と撥液境界面を有する平面測定面を示す長手方向断面図である。
【図２１】測定面の収束前に加えられた１滴を有する平面測定面を示す長手方向断面図である。
【図２２】収束後の同じ測定面を示す長手方向断面図である。
【図２３】測定面の収束前に加えられた２滴を有する２つの平面測定面を示す長手方向断面図である。
【図２４】収束後の同じ測定面を示す長手方向断面図である。
【図２５】測定位置の２つの測定面の磁気固定を示す長手方向断面図である。
【図２６】２つの側面に向けて開口されている細管経路を有するキュベットを示す側面図である。
【図２７】同じキュベットを示す他の側面図である。
【図２８】同じキュベットを示す２つの側面からの斜めに見た斜視図である。
【発明を実施するための形態】
【実施例】
【００４４】
図１〜４、９〜１４および２５〜２８によるキュベットは本出願の要素ではない。それらは、請求された本発明のより良好な視覚化のために記載されているだけである。  
【００４５】
以下において、明細書の「上方」および「下方」とは、光度計または分光計のキュベット軸に配置される場合に関係する器具の要素の位置合わせを指す。
【００４６】
図１〜４に示されるキュベットは少なくとも２つの要素から構成される。
【００４７】
器具１は、内側の平面測定面４，５と従来の光度計または分光計等に器具１を配置するためのアダプタ６とを有する２つの平板２，３から構成される。
【００４８】
たとえば、器具１の平板２，３は１つのピンセット９のアーム７，８の自由端に配置されている。アーム７，８は下部領域において平板２，３に向かって斜めに切られている。アーム７，８は好ましくは符号１０における上端で互いに取り外せないように接続されている。アーム７，８は一緒に弾性的に回転することができる。２つのアーム７，８を一緒に回転する能力は、測定面の近くでアームに斜めに走る２つのフィンの形でアーム７，８の内側に配置されるスペーサ１１，１２により制限される。
【００４９】
アダプタ６自体は標準キュベットの矩形の形状を有する。それは、最上部の領域１３において周囲に閉じられ、底部には４つの脚１４〜１７を有する。
【００５０】
アダプタ６は内側に空洞１８を有し、ピンセット９用の２組の平行なガイドレール１９，２０，２１，２２が２つの対向する側壁に配置されている。図２によればアームが共に回転されて１つのピンセット９をガイドレール１９〜２２により形成された案内装置に挿入することができる。
【００５１】
ガイドレール１９〜２２は下部で、内側に傾けられた境界壁２３，２４により制限され、その傾斜はピンセット９の腕７，８のべベルの傾斜に適合する。境界壁２３，２４は内側で側壁から突出し、ガイドレール１９〜２２を支持する。
【００５２】
箱形下部部材２５が境界壁２３，２４の下部縁に付けられる。それは対向する前表面に通過開口部２６，２７を有する。
【００５３】
このことにより、アダプタ６の構成はドイツ国特許ＤＥ１９８２６４７０Ｃ１のキュベットにほとんど一致しており、引用におり含まれるものとする。前述の構成との違いは側壁の内側にガイドレール１９〜２２が設けられていることと、箱形下部部材２５が通過開口部２６，２７を有することである。
【００５４】
１本のピンセット９は使い捨てとしてもよい。アダプタ６も使い捨てとしてもよいし、再使用可能としてもよい。ピンセット９およびアダプタ６は好ましくはプラスチック製である。
【００５５】
分析される少量の液体が器具１の光学的に透明な測定面４，５の間に配置される。アダプタ６は続いて、光路を更に変化することなく従来の光度計または分光計において測定できるようにキュベット軸の垂直方向の配置で平面測定面４，５を有する器具１の位置合わせに用いる。
【００５６】
１本のピンセット９は挿入補助を有しており、測定面４，５の単純な「充填」ができる。開放状態では、たとえば滴の形で試料を平面測定面４，５の１つに加えるために十分大きな自由空間が保証されるように、ピンセットのアーム７，８は互いに対して配置される。２つのアーム７，８を一緒に押すことで、アーム７，８の端部上の平面測定面４，５が互いに移動し、滴が両方の測定面４，５を濡らす。これにより、測定方向に対して媒体の拡大の方向が補助されるようにおよび過剰投与の場合１方向、たとえば上方向へのみ流出できるように平面測定面４，５が形成および／または被膜される。好ましくは平面測定面４，５の近くの２つのスペーサ１１，１２により、測定面４，５間に決められた光学層厚が発生するように平面測定面７，８が位置決めされる。１マイクロリットルから数マイクロリットルの範囲に及ぶ体積での測定は、異なる層厚を有する異なるピンセット９を用いて１つのアダプタ６で実現される。
【００５７】
ピンセット９は固定機能も有し、ユーザがスペーサ１１，１２が互いに寄りかかる閉じた状態のピンセット９を置くことができる。
【００５８】
さらに、１本のピンセットはアライメント装置を有してもよく、測定面４，５を平行に位置調整する。
【００５９】
アーム７，８のべベルがアダプタの傾けられた境界壁２３，２４に載置されるまで、１本のピンセット９が閉状態で、アダプタ６のガイドレール１９〜２２に挿入される。この位置では、平板２，３はアダプタ６に縦に配置され、通過開口部２６，２７の外側に合わせられる。１本のピンセット９をガイドレール１９〜２２により閉じた状態で保持される。
【００６０】
光度計または分光計のキュベット軸のアダプタ６の配置の場合、通過開口部２６，２７が測定光学の光路に配置され、その結果、それが測定面４，５間の試料の光学測定に利用される。
【００６１】
アダプタ６は、誤った取扱い、たとえば振動の場合、液体試料が漏れるのを防止するように設計されている。それは、絞りの特徴も有し、分光計の種類によらない広汎な利用が可能である。アダプタ６はキュベットのように使い捨てできるように設計できるが、しかしながら取り替えは誤操作の場合にのみ必要である。
【００６２】
図５〜８によるキュベットは２つの要素から構成され、すなわち測定先端２８とアダプタ２９である。測定先端２８は上端開口部３０を有する上端を備えており、たとえば、市販のピペットの固定用付属器にクランプすることができる。さらに、それは底部開口部３１を有する底端部を備える。この底部開口部３１は２つの透明な平面の平板２，３と好ましくは面平行な測定面４，５を備える器具１により内側に制限される。平板２，３間の間隔距離領域は横方向に閉じて、その結果符号３１における底面だけに間隔距離領域が開放されている。
【００６３】
上端開口部３０と下部開口部３１との間の測定先端２８に連続した経路が設計されている。測定先端２８は外側に、上から下まで先細りの形状を有する。
【００６４】
アダプタ２９もまた箱形であり、標準キュベット軸に合う。上部領域３２において、それは周囲上に閉じられ、底には４つの脚３３〜３６を有する。アダプタ２９は、内部に空洞３７を有し、その中に受け器３８が配置されている。受け器３８は測定端２８の外側輪郭と適合する。放射状に走るフィン３９，４０，４１，４２により受け器３８はアダプタ２９の壁の内側に支持される。
【００６５】
測定される媒体が平板２，３間に吸い込まれるように、測定先端２８は、たとえば従来のピペットチップに類似した市販のピペットの固定用付属器に取り付けることができる。これより、媒体が平面測定面４，５を濡らす。測定面４，５間の異なる間隔距離を有する異なる測定先端２８により、１マイクロリットル未満から数マイクロリットル（たとえば０．５〜５マイクロリットル）までの範囲にわたる体積または異なる層厚を有する測定に対する異なる大きさの測定受け器が、１つのキュベットで実現できる。特に非常に少量の測定の計画の場合、測定される試料がすでに毛細管力により平板２，３間に引き寄せられる。それで、たとえば市販のピペットを用いて試料を受け取ることは必要ない。
【００６６】
充填された測定先端２８はピペットを用いてアダプタ２９の中に入れられる。平板２，３を有する挿入された測定先端が脚３３〜３６の間の自由空間に配置されるように、受け器３８の形状は測定先端２８の形状に適合する。測定先端２８はピペットから注がれる。しかし、それはその後の測定の間ピペットに接続されるままにすることもできる。キュベット２９は挿入された測定先端２８によりキュベット軸に入れることができる。その結果、光学測定装置の光路が一対の脚３３，３４と３５，３６との間の対向する自由空間の間と２つの平板２,３とその中に位置する試料とを介して斜めに走る。試料を受け取るのは親水性表面により補助される。
【００６７】
アダプタ２９は誤操作の場合‐たとえば強い振動の場合に測定される液体の漏れを防止するように設計することができる。それは、光度計の測定方向に関して平面測定面４，５の正確な配置の案内装置として役立つことができる。さらにそれは絞りの性質を有し、それにより分光計のタイプによらない汎用な利用が可能である。
【００６８】
測定先端２８とアダプタ２９は両方とも消耗品とすることができる。測定先端２８は各測定の後に交換することができる。アダプタ２９の交換は誤操作の場合に制限することができる。
【００６９】
次の２つの例示実施例は２つのヒンジ結合されたアダプタ部から構成され、好ましくは関節を介して着脱不可能に相互に接続されている。一緒に折り畳まれると、アダプタ部はたとえば標準キュベットの寸法で１個のアダプタを形成する。関節は器具の短いまたは長い側面に取り付けられる。開けられて、測定される試料が１つかそれとも両方の測定面に加えられる。
【００７０】
図９から１２によるキュベットは、２つの平板のような試料キャリア（「スライド」）４３，４４とアダプタ４５から構成される。試料キャリア４３，４４は同一である。試料キャリアは薄板状中間部４６の上端に広がった取っ手経路区切り４７を有する。下部に、薄板状中間部４６が符号４８で円錐形にテーパーがつけられる。下端で、スライド４３，４４のそれぞれが、好ましくは片側に平面測定面４，５それぞれ有する平板２，３を備える。
【００７１】
アダプタ４５は２つのアダプタ部４９，５０から構成され、一体的なヒンジ５１を介して互いにヒンジ結合されている。一緒に折り畳まれると、図１２によるとアダプタ部４９，５０はアダプタ４５を形成し、その形状は図３および４によるアダプタ６のそれとほとんど一致する。しかしながら、アダプタ６とは対照的に、両方のアダプタ部４９，４５に４つのガイドレール５２〜５５と５６〜５９から構成される完全な案内装置をアダプタ４５は有する。  
【００７２】
アダプタ４５とスライド４３，４４は好ましくはプラスチック製である。
【００７３】
図１１によると、２つのスライド４３，４４は案内装置５２〜５５と５６〜５９に、取っ手経路区切り４７が２つのアダプタ部４９，５０の上縁に載置されるまで挿入される。この位置では、アダプタ部４９の脚６０，６１とアダプタ部５０の脚６２，６３との間の凹部に平板２，３が配置される。さらに、案内装置５２〜５５と５６〜５９を有するスライド４３，４４の固定具が設けられている。
【００７４】
そして、測定される液体の一滴が平面測定面４に加えられる。それから、２つのアダプタ部４９，５０が一緒に折り畳まれ、液体が測定面５と接触する。
【００７５】
一緒に折り畳まれたアダプタ部４９，５０は、アダプタ部５０の固定凹部６５と、アダプタ部４９の固定突起６６を有する固定フック６４によって互いに固定される。ここで、固定凹部６５を有する固定フック６４は固定突起６６に押される。固定フック６４を反対方向に動かすことで固定が解除される。
【００７６】
図１２によると、閉じたアダプタ４５は標準キュベット軸の中に入れられ、光学測定装置の光路が脚６０，６１と６２，６３との間の凹部を通って２つの平板２，３を通って通過する。
【００７７】
図９から１２によるキュベット内に、長手方向の側面に沿ってアダプタ部４９，５０が互いに接続されている。図１３および１４によるキュベット内に、アダプタ部６７，６８が斜め軸に沿ってヒンジ接続６９を備える。
【００７８】
このために、アダプタ部６７は平板状基部７０を有し、外側の片側の上部領域に２つの棒７１，７２を有する。スイベルジョイント（swivel joint）６９の軸受目７３，７４が棒７１，７２に配置されている。
【００７９】
一般に、アダプタ部６８は平板状支持部７５から構成され、平板状支持部７５は接続アーム７６の一端に接続し、接続アーム７６は他端の軸受ブロック７７を支持する。軸受ブロック７７は脚７１，７２の間に配置され、軸またはシャフト７８が軸受ブロック７７の中央経路孔を通過し、両端で軸受目７３，７４に保持される。
【００８０】
基部７０と支持部７５は通過開口部７９，８０を備え、それらはアダプタ部６７，６８の一緒に折り畳まれた状態でお互いと同じ高さである。内側に平面測定面８３，８４を有する平板状挿入部８１，８２が通過開口部７９，８０の内側に位置する。
【００８１】
基部７０と支持部７５とは好ましくは、それぞれ内側に挿入される磁石８５〜８８と８９〜９２とを有し、一緒に折り畳まれた状態でそれぞれが互いに対に載置される。さらに、中心ピン９３が基部７０から突出し、支持部７５の中心受け器９４がそれに当てがわれる。
【００８２】
アダプタの開状態で１つまたは両方の平面境界面８１，８２に試料が加えられる。アダプタ部６７，６８を一緒に折り畳んだ後、アダプタは標準キュベット軸の中に挿入できる。通過開口部７９，８０とそれらの後方に配置された透明な平板８１，８２とそれらの間に位置する試料を通って光学測定装置の光路が通過する。
【００８３】
挿入部８１，８２はたとえばＵＶ透過性石英ガラスまたはＵＶ透過性プラスチックでできている。適用できるならば、それらは特別な表層構造を備えている。
【００８４】
通過孔８０，８１の境界は絞りを形成し、光度計または分光計の測定光が試料のみを照射するようにする。アダプタ部６７，６８は好ましくはプラスチック製である。
【００８５】
アダプタ部６７，６８は特に再利用に指定されている場合、他の材料、たとえば金属、でできていてもよい。他の変形では、アダプタ部６７，６８が挿入部８１，８２と同じプラスチックで、そして適用できるならば、１つの注入成形要素として不可分に作製してもよい。
【００８６】
図１５および１６によると、光学的に透明な測定面８３，８４は中心に中央液濡れ表面部９５を有して設計され、その周囲に撥液表面部９６が位置する。領域９５，９６の液濡れおよび撥液の性質は被膜により発生させることができる。２つの表面部９５，９６間に機械的な縁がなく、測定面８３，８４の洗浄中にそれらは分裂的である。測定面８３，８４が表面部９５から表面部９６に向かって洗浄されるので、その結果、残された不純物が中央表面部９５に残留しない。
【００８７】
透光性表面部９７は液濡れ表面部９５に対応し、挿入部８３，８４の外側の不透明表面部９８が撥液表面部に対応する。
【００８８】
表面部９５，９６は測定面８３，８４の液体試料の拡大を制限する。撥液または疎水性の表面部に、液体の滴が大きな接触角度位置を有する。この結果、それが測定面８３，８４上に高く突出する。液濡れまたは親水性の表面部９５では、対照的に滴が収まって保持されるか固定される。この結果、平坦ではなくほとんど半球状の液体の滴が発生し、その結果、アダプタ部６７，６８の一緒に折り畳む間に、測定面８３または８４に加えられた滴が安全に他の測定面８４，８３を濡らす。または両方の測定面８３，８４に加えられた滴は安全に一体となる。結果として、規定された液体の柱が発生し、これにより規定された測定長さまたは層厚がそれぞれ発生する。
【００８９】
他の例示的実施例の平板２，３は測定面４，５および外側に対応して設計することができる。
【００９０】
図１７〜２０による例示的実施例では、異なる形状の凹部９９，１００，１０１，１０２が測定面８３，８４に配置されている。凹部９９〜１０２は試料を受けて測定面８３，８４でのその拡大を制限する。図１８および１９によると、試料の過剰量は放射経路１０３を介して貯蔵室１０４に、またはオーバーフロー縁１０５を介してオーバーフロー室１０６へ逃げることができる。図２０の例示的実施例において、凹部１０２は外側に向かって円錐形に拡大している。さらに、拡大を制限する境界面１０７は撥液で、ベース面１０８は液濡れにすることもでき、この結果、滴は測定面８３，８４から可能な限り遠くへ突出する。
【００９１】
滴の拡大を制限するために、小さな表面を有する平面台を測定面８３，８４に配置してもよい。平面台は表面張力により滴の拡大を防止する。これは滴の高さを増大させ、必要な試料の量の減少が達成される。
【００９２】
台を有するかまたは図１７〜２０による測定面の設計は全ての例示的実施例において達成可能である。
【００９３】
図２１および２２によると、２つの測定面４，５間の層の厚みがスペーサ１０９により決められる。絞り１１０が平板３外側上の被膜としてつけられる。
【００９４】
この例では、滴が測定面５にのみ加えられ、測定面４をスペーサ９に配置された際に濡らす。
【００９５】
図２３および２４による例示的実施例では、スペーサ１１１，１１２が測定面４，５の両方に割り当てられ、器具が閉じた際には互いに接触する。この例では、層厚が両方のスペーサ１１１，１１２の距離によって決められる。さらにまた、測定面４，５の両方へ滴の塗布、器具１が閉じられると一緒に流れることが示されている。
【００９６】
図２５の例示的実施例は図２１および２２によるものと、規定された層厚が好ましくは磁石１１３，１１４，１１５，１１６からの磁力により確保される点で異なり、器具１が閉じられると互いから短い間隔でそれら磁石の対極が配置される。磁石１１３〜１１６は挿入部２，３を収容するキュベットの器具要素（たとえばアダプタ部６７，６８）の中に組み込まれる。
【００９７】
測定面４，５の平面平行構造を保証するために、器具要素６７，６８間に設計された関節６９を浮動的に設計することができるので、その結果システムは幾何学的に過剰に決定されない。閉状態では、２つのアダプタ部６７，６８を有するパタパタ動くキュベットにおいて測定される物質が決定的に、安全にかつ安定に位置決めされる。
【００９８】
本発明の他の実施例は１回限りの部材の収納である（個々には示さない）。好ましくはカートリッジの形の、処理しやすいマガジンから、再利用可能な折り畳みキュベットにこのために設けられた開口部の中へ１回限りの使用の挿入部２，３が容易に挿入される。使用後、１回限りの挿入具２，３は手または器具またはカートリッジの付属器により折り畳みアダプタの外へ押し出されて、廃棄される。新しい挿入具２，３がそれから再び挿入される。
【００９９】
１回限りの部材は１回限りの部材として設計された２部分アダプタと併用することもできる。さらにまた、さらに、１つの器具から作られた前部および後部を有する１回限りの部材を組み合わせてもよいし、適用できるならば２成分射出成型物と呼ばれるものとしてもよい。
【０１００】
図２６〜２８によるキュベットはＤＥ１９８２６４７０Ｃ１の例示的実施例によるキュベットにほとんど対応しており、それは引用したものとする。しかしながら、上述したキュベットとは対照的に、４つの脚１１７，１１８，１１９，１２０間に配置された、箱形下部部材１２１がキュベットの空洞に向かって内側に開口しているのではなくむしろ閉じられている。さらに、両側で開口している経路１２２が、両外側に向かって漏斗形の拡張部１２３，１２４を有し、この下部部材１２１を通って走る。
【０１０１】
キュベットは市販のキュベットの形状を有しており、その結果、市販の光度計または分光計それぞれに挿入することができる。
【０１０２】
両側に開口している経路１２２を介して光学測定を実施することができる。これより、測定中にキュベットのプラスチック壁を介して光が案内されず、したがって測定が影響を受けない。各キュベットに対する空の測定値が必要ない。
【０１０３】
経路１２２はキュベットの外側に向けて円錐形に拡大する。その結果、過剰投与は光学的層厚の微々たる増加を引き起こす。副作用として、キュベットはこれより充填補助を受ける。経路１２２の円錐および円筒領域間に液体がその境界から漏れるまで、ピペットチップが拡張部１２３，１２４に付けられ、経路１２２が充填される。ここで、液体は完全に経路１２２を充填しその中で付着力または毛管作用それぞれにより保持される。
【０１０４】
一方で絞り効果を達成するために、また他方で誤操作中に液体が漏れるのを回避するために円錐形拡張部１２３をざらざらに作ることができる。加えて、受け皿が経路１２２の下に設けられ、漏れ出す液体を受けることができる。経路１２２がキュベットの全体幅よりもかなり短いので、液体がこの受け皿へのみ落ちる。
【０１０５】
例示的実施例は本発明のより良好な視覚化として適する。本発明は例示的実施例に限られない。
【図１】
0005726064.tif 000002
【図２】
0005726064.tif 000003
【図３】
0005726064.tif 000004
【図４】
0005726064.tif 000005
【図５】
0005726064.tif 000006
【図６】
0005726064.tif 000007
【図７】
0005726064.tif 000008
【図８】
0005726064.tif 000009
【図９】
0005726064.tif 000010
【図１０】
0005726064.tif 000011
【図１１】
0005726064.tif 000012
【図１２】
0005726064.tif 000013
【図１３】
0005726064.tif 000014
【図１４】
0005726064.tif 000015
【図１５】
0005726064.tif 000016
【図１６】
0005726064.tif 000017
【図１７】
0005726064.tif 000018
【図１８】
0005726064.tif 000019
【図１９】
0005726064.tif 000020
【図２０】
0005726064.tif 000021
【図２１】
0005726064.tif 000022
【図２２】
0005726064.tif 000023
【図２３】
0005726064.tif 000024
【図２４】
0005726064.tif 000025
【図２５】
0005726064.tif 000026
【図２６】
0005726064.tif 000027
【図２７】
0005726064.tif 000028
【図２８】
0005726064.tif 000029